(57)【要約】  【課題】  立て掛けるのみならず、掛止め状態で支持して保管できる楽器スタンドを提供する。  【解決手段】  下方に支持脚を回動自在に設ける支持脚管に下部挿入座を設け、該下部挿入座に楽器の底面を支える支持桿か、もしくは楽器に当接する当接パッドを具える支持桿を着脱自在に挿設し、該支持脚管の上端には凹状の位置決め溝を複数形成し、高さが自在に調整できるように構成した上支持桿を摺動自在に挿設し、該上支持桿の上端には略Ｔ字状を呈する上挿入部を設け、該上挿入部に楽器を掛止する二又桿か、楽器のネック部を支持し、立て掛けた状態で保管できる二又桿を着脱自在に挿設する。【選択図】  図１   
0003106900.tif 000002
【実用新案登録請求の範囲】
【請求項１】
支持脚桿に楽器を支持する支持桿を挿入する下部挿入座を設け、かつ支持脚桿上に上支持桿を設けと、該上支持桿の上端に楽器を支持する上二又桿を設けて構成する楽器スタンドであって、
該下部挿入座の前端の挿入口にスリーブを挿設し、該スリーブの内壁に凹溝を形成し、該スリーブには該支持桿を挿入し、また該支持桿は挿入部の一端に当止ブロックを形成して該支持桿を挿した場合、該当止ブロックが該凹溝に沿って進入し、かつ該当止ブロックが該スリーブの壁面によって制限を受けて抜けないように構成し、可動式の支持桿を挿設する形態とするか、もしくは該挿入部の一端には当止ブロックを形成し、他端には位置決めブロックを形成して於位置決め式の支持桿を挿設する形態とし、
該上部挿入座は、スリーブと挿入桿とを略Ｔ字状に構成してなり、該スリーブを該上支持桿の上端に挿入し、該挿入桿は内壁に段差を形成して開口端を口径の広い大挿入孔とし、次いで口径の狭い小さ挿入孔とし、かつ該小挿入孔の内壁に凹溝を形成し、該上二又桿の挿入部の一端には該凹溝に進入する当止ブロックを形成し、該当たるブロックが該凹溝に沿って移動し、該凹溝を越えて上部挿入座内の回転空間に至りとともに、該小挿入孔の内壁に当止して該上二又桿が抜けることを防ぐように構成して可動式の上二又桿を挿設する形態とするか、もしくは、該大挿入孔の開口部には、略Ｌ字状を呈する位置決め切り欠き溝を形成し、該位置決め切り欠き溝は、該挿入部に挿設する該スリーブの一端に形成する位置決めブロックが係合して該上二又桿を位置決めして、位置決め切り式の上二又桿を挿設する形態とし、
該支持桿は可動式とするか、もしくは位置決め式とし、該可動式の支持桿は挿入部と、Ｕ字状の支承桿とによって構成し、該挿入部の一端には当止ブロックを形成して該下部挿入座のスリーブに挿入し、該位置決め式の上二又桿と併用して楽器を立て掛けた状態で支持する可動式の支持桿を挿設する形態とし、
該位置決め式の支持桿は、挿入部と、当接パッドとによって構成し、該挿入部の一端には当止ブロックを形成し、他端には位置決めブロックを形成し、かつ該当止ブロックと該位置決めブロックは該挿入部の外周上の異なる角度の位置に形成し、該支持桿が該下挿入座に挿入され、抜けることなく位置決めされるように構成し、
該上二又桿は、位置決め式にするか、もしくは可動式に構成し、位置決め式の上二又桿は挿入部と、スリーブと、Ｕ字状の当接桿とによって構成し、該スリーブの一端には外周面に位置決めブロックを形成し、該位置決めブロックが該挿入部を該上部挿入座挿入した場合、該上部挿入座の一端にＬ字状に形成された切り欠き溝内の底部に嵌合するように構成して位置決め式の上二又桿の形態を形成し、
該可動式の上二又桿は挿入部と、Ｕ字状の掛止桿とによって構成し、該挿入部の一端に当止ブロックを形成し、該当止ブロックが、該上部挿入座の管体内壁に形成した凹溝内部を摺動し、回転空間に進入し、該挿入桿の内壁の制限を受けて該上二又桿が抜けることがなくなるように構成して可動式の上二又桿の形態を形成し、該位置決め式の支持桿と併用して楽器を掛止して保管する楽器スタンドの形式を構成することを特徴とする楽器スタンド。
【請求項２】
前記可動式の支持桿のＵ字状の支承桿は、両アームの左右対応する位置にそれぞれパッドを設けて前部支承領域と後部支承領域とに限定し、
該可動式の上二又桿は前端には左右対応する位置に仕切り環状を形成し、前部掛止領域と後部掛止領域とに分けることを特徴とする請求項１に記載の楽器スタンド。
【考案の詳細な説明】
【技術分野】
【０００１】
この考案は、楽器などを支持する楽器スタンドに関し、特にギターなどの楽器を立て掛けたり、掛止め支持したりすることのできる楽器スタンドに関する。
【背景技術】
【０００２】
従来のギター用スタンドは、図１６に開示するように支持脚桿９３と、上部支持桿９４と、下部支持座９５と、支持部９６と、二又状の上部支持部９７などによって構成される。該上部支持部９７は湾曲した上部支持桿９４の上端に溶着して固定し、前方に向かって水平方向に突き出た形状を呈す。よって、製品を包装する場合に不便であるのみならず、携帯する上でも極めて不便である。しかも、上述する構造は、ギターなどの楽器を立て掛けるという単一の機能しかない。一般に、消費者は機能の多様性を製品に求めるが、このような要求にそぐわない。よって、消費者が立て掛ける方式以外の方法で楽器の保管をしたい場合には、別途、他の形式の楽器スタンドを購入しなければならず、金銭の浪費のみならず、余剰の楽器スタンドを設置することによって、楽器の保管場所を占めることになる。
【考案の開示】
【考案が解決しようとする課題】
【０００３】
この考案は、楽器を保管する場合、立て掛けるのみならず、掛止した状態で支持して保管できる楽器スタンドを提供することを課題とする。
【課題を解決するための手段】
【０００４】
そこで、本考案者は従来の技術に見られる欠点に鑑み鋭意研究を重ねた結果、下方に支持脚を回動自在に設ける支持脚管に下部挿入座を設け、該下部挿入座に楽器の底面を支える支持桿か、もしくは楽器に当接する当接パッドを具える支持桿を着脱自在に挿設し、該支持脚管の上端には凹状の位置決め溝を複数形成し、高さが自在に調整できるように構成した上支持桿を摺動自在に挿設し、該上支持桿の上端には略Ｔ字状を呈する上挿入部を設け、該上挿入部に楽器を掛止する二又桿か、楽器のネック部を支持し、立て掛けた状態で保管できる二又桿を着脱自在に挿設して構成する楽器スタンドの構造によって課題を解決できる点に着眼し、かかる知見に基づいて本考案を完成させた。
【０００５】
以下、この考案について具体的に説明する。
請求項１に記載する楽器スタンドは、支持脚桿に楽器を支持する支持桿を挿入する下部挿入座を設け、かつ支持脚桿上に上支持桿を設けと、該上支持桿の上端に楽器を支持する上二又桿を設けて構成する楽器スタンドであって、
該下部挿入座の前端の挿入口にスリーブを挿設し、該スリーブの内壁に凹溝を形成し、該スリーブには該支持桿を挿入し、また該支持桿は挿入部の一端に当止ブロックを形成して該支持桿を挿した場合、該当止ブロックが該凹溝に沿って進入し、かつ該当止ブロックが該スリーブの壁面によって制限を受けて抜けないように構成し、可動式の支持桿を挿設する形態とするか、もしくは該挿入部の一端には当止ブロックを形成し、他端には位置決めブロックを形成して於位置決め式の支持桿を挿設する形態とし、
該上部挿入座は、スリーブと挿入桿とを略Ｔ字状に構成してなり、該スリーブを該上支持桿の上端に挿入し、該挿入桿は内壁に段差を形成して開口端を口径の広い大挿入孔とし、次いで口径の狭い小さ挿入孔とし、かつ該小挿入孔の内壁に凹溝を形成し、該上二又桿の挿入部の一端には該凹溝に進入する当止ブロックを形成し、該当たるブロックが該凹溝に沿って移動し、該凹溝を越えて上部挿入座内の回転空間に至りとともに、該小挿入孔の内壁に当止して該上二又桿が抜けることを防ぐように構成して可動式の上二又桿を挿設する形態とするか、もしくは、該大挿入孔の開口部には、略Ｌ字状を呈する位置決め切り欠き溝を形成し、該位置決め切り欠き溝は、該挿入部に挿設する該スリーブの一端に形成する位置決めブロックが係合して該上二又桿を位置決めして、位置決め切り式の上二又桿を挿設する形態とし、
該支持桿は可動式とするか、もしくは位置決め式とし、該可動式の支持桿は挿入部と、Ｕ字状の支承桿とによって構成し、該挿入部の一端には当止ブロックを形成して該下部挿入座のスリーブに挿入し、該位置決め式の上二又桿と併用して楽器を立て掛けた状態で支持する可動式の支持桿を挿設する形態とし、
該位置決め式の支持桿は、挿入部と、当接パッドとによって構成し、該挿入部の一端には当止ブロックを形成し、他端には位置決めブロックを形成し、かつ該当止ブロックと該位置決めブロックは該挿入部の外周上の異なる角度の位置に形成し、該支持桿が該下挿入座に挿入され、抜けることなく位置決めされるように構成し、
該上二又桿は、位置決め式にするか、もしくは可動式に構成し、位置決め式の上二又桿は、挿入部と、スリーブと、Ｕ字状の当接桿とによって構成し、該スリーブの一端には外周面に位置決めブロックを形成し、該位置決めブロックが該挿入部を該上部挿入座挿入した場合、該上部挿入座の一端にＬ字状に形成された切り欠き溝内の底部に嵌合するように構成して位置決め式の上二又桿の形態を形成し、
該可動式の上二又桿は挿入部と、Ｕ字状の掛止桿とによって構成し、該挿入部の一端に当止ブロックを形成し、該当止ブロックが、該上部挿入座の管体内壁に形成した凹溝内部を摺動し、回転空間に進入し、該挿入桿の内壁の制限を受けて該上二又桿が抜けることがなくなるように構成して可動式の上二又桿の形態を形成し、該位置決め式の支持桿と併用して楽器を掛止して保管する楽器スタンドの形式を構成する。
【０００６】
請求項２に記載する楽器スタンドは、請求項１における可動式の支持桿のＵ字状の支承桿は、両アームの左右対応する位置にそれぞれパッドを設けて前部支承領域と後部支承領域とに限定し、
該可動式の上二又桿は前端には左右対応する位置に仕切り環状を形成し、前部掛止領域と後部掛止領域とに分ける。
【考案の効果】
【０００７】
本考案の楽器スタンドは、簡易な操作で楽器を立て掛ける形式と、楽器を掛止する形式とを交換することができるという利点がある。
【考案を実施するための最良の形態】
【０００８】
図１，図２に開示するように、この考案による楽器スタンドは、支持脚桿１と、上支持桿２と、下部挿入座３と、上部挿入座４と、支持桿５と、上二又桿６などによって構成する。
【実施例】
【０００９】
図３に開示するように、支持脚桿１は、中空の管体１１であって、下端縁部には三方向に突出部を形成してなる支持脚座１２を設け、該支持脚座１２に例えばリベットなどで２本の前脚桿１３，１４と、１本の後脚桿１５とを回動自在に支持する。よって、それぞれの脚桿を外方向に展開して楽器スタンドを支持することができ、下方向に折畳むことによって包装、もしくは携帯時に便利になる。また、管体１１は上支持桿２に締結部材１６で圧迫して位置決めし、二段式の伸縮フレームを形成する（図１，２参照）。よってフレームの高低を自在に調整し、異なる長さの楽器の立て掛け或いは掛止めをすることができ、また、包装、又は携帯する場合便利になる。
【００１０】
上支持桿２は中空の管体であって、支持脚桿１の管体１１内に挿入する。また、上支持桿２の下方には凹状の位置決め溝２１を複数形成し、締結部材１６が容易に圧迫し、位置決めできるように構成する（図１，７参照）。しかも、高さを調整するため締結部材１６を緩めた場合、上支持桿２が不意に下方に移動することを防ぐことができる。従来の技術では上支持桿２に凹状の位置決め溝は設けられていないため、このような従来構造では、締結部材を緩めると、上支持桿２の移動に対する抵抗がないため、上支持桿２が下方に向かって急に移動して楽器が倒れ、地面にぶつかることがあり、また使用者の手が衝撃によって傷つく場合もある。
【００１１】
下部挿入座３は中空の管体であって、その一端は支持脚桿１の下端寄りの位置に溶着し、他端は管体内にアセタル材によってなるスリーブ３１を挿設し、該スリーブ３１の内壁に凹溝３２を形成する（図３，４，６参照）。該スリーブ３１には支持桿５を挿入する。支持桿５は挿入部５１の一端に当止ブロック５２を形成する。支持桿５を挿入した場合、該当止ブロック５２が該凹溝３２に沿って進入し、スリーブ３１を貫通して、その一端を越える。よって、支持桿５は平衡の原理によって自ら回転して平衡を保つ。また、該当止ブロック５２は、スリーブ３１の壁面によって制限を受けるため、支持桿５を使用する場合に抜けることがなくなる。また、支持桿５の前端にはＵ字状の支承桿５３を設ける。該支承桿５３は、自由端が上下に揺動し、かつ着脱自在に挿設されている。よって、楽器に直接接触する支承桿５３は楽器の荷重を自動的に調整して平衡させる作用を有し、また図１３，１４に開示するように、支持桿５は抜けることがない。
【００１２】
下部挿入座３には、図２に示すように変形例として位置決め式の支持桿７を挿入してもよい。支持桿７は挿入部７１の一端に当止ブロック７３を形成し、他端に位置決めブロック７４を形成する。支持桿７を挿入した場合、該当止ブロック７３が該凹溝３２に沿って進入し、スリーブ３１を貫通して、その一端を越える。支持桿７を回転させることができるようになり、この状態において該位置決めブロックを該凹溝４５に嵌合させて位置決めする（図６参照）。この場合、上二又桿８と組み合わせることによって、楽器例えば、ギター、エレキギターなどを掛けた状態で支持する楽器スタンドとなる（図１５参照）。
【００１３】
上部挿入座４は、図７，８，９，１０に開示するように、スリーブ４１と挿入桿４２とを略Ｔ字状に構成してなり、アセタル材などによって形成する。該スリーブ４１を上支持桿２の上端に挿入する。挿入桿４２は内壁に段差を形成して開口端を口径の広い大挿入孔４３とし、次いで口径の狭い小挿入孔４４とする。該小挿入孔４４は、内壁に凹溝４５を形成し、可動式の上二又桿８を挿入した場合、上二又桿８の挿入部８１の一端に形成した当止ブロック８２が該凹溝４５に沿って移動し、かつ凹溝４５を越えて上部挿入座４内の回転空間４７に至る。したがって、上二又桿８は平衡の原理によって自ら回転して平衡を保つ。また、該当止ブロック８２が小挿入孔４４の内壁に当止して（図１０参照）、上二又桿８が抜けることを防ぐ。
【００１４】
上二又桿８の前端にはＵ字状の掛止桿８３を設ける。該掛止桿８３は、自由端が上下に揺動し、かつ着脱自在に挿設する。よって、楽器の掛止に供する掛止桿８３は楽器の荷重を自動的に調整して平衡させる作用を有する図１５参照。また、大挿入孔４３の開口部には、略Ｌ字状を呈する位置決め切り欠き溝４６を形成する。該位置決め切り欠き溝４６は、挿入部６１に挿設するスリーブ６２の一端に形成する位置決めブロック６７の係合に供する。即ち、上二又桿６の挿入部６１挿入桿４２に挿入され、上二又桿６が回転して平衡を保つ場合、該位置決めブロック６７が位置決め切り欠き溝４６の底部に係合する。このため、上二又桿６の当接桿６３が上部挿入座４に水平状態で位置決めされ（図１１，１２参照）、組み立てられる。
【００１５】
支持桿５は可動式であって、支持桿７は可動式である。可動式の支持桿５は挿入部５１と、Ｕ字状の支承桿５３とによって構成する（図３参照）。該挿入部５１の一端には当止ブロック５２を形成する。組み立てる場合は、挿入部５１を下部挿入座３に挿入する。該当止ブロック５２はスリーブ３１の内壁に形成した凹溝３２をガイドレールとして移動し、末端まで移動すると該スリーブ３１を越えて、支持桿５が回動自在の状態になる。この状態において、支持桿５は平衡の原理によって自ら回転して平衡を保つ。支持桿５は自ら平衡を保つ状態になると、当止ブロック５２はスリーブ３１の内壁の制限を受け、支持桿５が下挿入座３に組み付けられる。また、Ｕ字状の支承桿５３は自由端が上下に揺動し、かつ着脱自在に挿設される（図１参照）。よって、楽器に直接接触する支承桿５３は楽器の荷重を自動的に調整して平衡させる作用を有し、また支持桿５は抜けることがなく、上二又管６の位置決め式の組み立て方式と併用することによって、楽器を立て掛けて保持する楽器スタンドを形成する（図１３参照）。
【００１６】
また、支承桿５３の両アームには、左右対応する位置にそれぞれパッド５４を設け、ギターなどの楽器の支承に供する（図１３参照）。また、該パッド５４によって、前部支承領域５５と後部支承領域５５とに限定し、例えば、エレキギターなどの支持に供する（図１４参照）。
【００１７】
位置決め式の支持桿７は、挿入部７１と、当接パッド７２とによって構成する（図４，５参照）。該挿入部７１の一端には当止ブロック７３を形成し、他端には位置決めブロック７４を形成する。該当止ブロック７３と位置決めブロック７４は挿入部７１の外周上の異なる角度の位置に形成する。組み立てる場合には、当止ブロック７３はスリーブ３１の内壁に形成した凹溝３２をガイドレールとして移動し、該スリーブ３１を越えると、支持桿７が回動自在の状態になる。この状態において、挿入部７１前端の位置決めブロック７４がスリーブ３１の凹溝３２に嵌合し（図６参照）、支持桿７が下挿入座３に組み付けられ、抜けることがなくなる。同時に位置決めされて、任意に回転することがなくなり、当接パッド７２が、楽器、例えば、ギターやエレキギターなどの胴の部分に当接し、かつ可動式の上二又桿８と併用して、楽器を掛止した状態で支持する楽器スタンドを形成する（図１５参照）。
【００１８】
上二又桿６は位置決め式であって、上二又桿８は可動式である。位置決め式の上二又桿６は、挿入部６１と、スリーブ６２と、Ｕ字状の当接桿６３とによって構成する（図７参照）。該挿入部６１の略中間の位置には外周面に沿って凸起部６４を環状に形成し、該凸起部６４のスリーブ６２側の端面に隣接する位置に凸ブロック６５を形成する。該スリーブ６２はアセタル材によってなり、一端の内径が狭く、他端は外形が比較的大きい円錐状に形成した二段式の管体であって、管体の内壁に凹溝６６を形成する。スリーブ６２を挿入部６１に挿入する場合、該凸起部６４に当止し、該凸ブロック６５がスリーブ６３の内壁に形成する凹溝６６に嵌合して挿入部６１上に組み合わさり、位置決めされる（図９参照）。
【００１９】
また、スリーブ６２の一端には外周面に位置決めブロック６７を形成する。該位置決めブロック６７は挿入部６１を上部挿入座４に挿入した場合、上部挿入座４の一端にＬ字状に形成された切り欠き溝４６内に進入し、下方に向かってやや回転して、該切り欠き溝４６の底部に嵌合する。よって、上二又桿６を上部挿入座４に挿入し、水平状態に位置決めして（図９．１１，１２参照）、ギターなどの楽器のネック部を支えるために供することができる（図１３，１４参照）。
【００２０】
可動式の上二又桿８は挿入部８１と、Ｕ字状の掛止桿８３とによって構成する（図８参照）。該挿入部８１の略中間の位置には外周面に沿って凸起部８４を環状に形成する。該凸起部８４は挿入部８１を上部挿入座４の挿入桿４２内に挿入する場合に当止する作用を有する。また、該挿入部８１の一端には当止ブロック８２を形成する。該当止ブロック８２は、上部挿入座４の管体内壁に形成した凹溝４５をガイド溝として、その内部を摺動し、回転空間４７に進入する。このため、上二又桿８は平衡の原理によって自ら回転して平衡を保つ。また、当止ブロック８２が挿入桿４２の内壁の制限を受けて（図１０参照）、Ｕ字状の支承桿８３は自由端が上下に揺動し、かつ着脱自在に挿設される。よって、支承桿８３は楽器の荷重を自動的に調整して平衡させる作用を有し、また上二又桿８は抜けることがなくなる（図１５参照）。また、該Ｕ字状の二又桿８３弾性を有するカバーで被覆する。該カバーの前端には左右対応する位置には、外周面に沿って仕切り環８５８６を形成し、掛止桿８３の楽器ギター、エレキギターなどを掛ける領域を前部掛止領域８７と後部掛止め領域８８とに分ける。よって、使用者は楽器を掛止する場所を選択することができ、多様性のある楽器の支持が得られる。
【００２１】
この考案による楽器スタンドを使用する場合、使用者は自己の好みか、必要に応じて掛止式か、立て掛ける方式を選択して組み立てることができる。掛止式を選択する場合は、下部挿入座３に位置決め式の支持桿７を挿入し、上部挿入座４に可動式の二又桿８を挿入することによって、楽器例えばギター、エレキギターなどを掛止する楽器スタンドが得られる（図２，１５参照）。また、立て掛ける方式を選択する場合は、下部挿入座３に可動式の支持桿５を挿入し、上部挿入座に位置決め式の二又桿６を挿入することによって、楽器ギター、エレキギターなどを立て掛ける方式の楽器スタンドが得られる。よって、本考案による楽器スタンドは組み立てが便利であるのみならず、使用上便利である。
【００２２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２３】
【図１】この考案による楽器スタンドの側面一部断面図である。
【図２】この考案による掛止式楽器スタンドの側面一部断面図である。
【図３】図１に開示する楽器スタンドの支持脚桿の部分の分解図である。
【図４】この考案による掛止式楽器スタンドの支持脚桿の部分の分解図である。
【図５】図２に開示する掛止式楽器スタンドの支持脚桿の部分の分解図である。
【図６】この考案における下部装入座と支持桿との構造を示した断面図である。
【図７】図１に開示する楽器スタンドの上二又桿の部分の分解図である。
【図８】図２に開示する楽器スタンドの上二又桿の部分の分解図である。
【図９】上部装入座と上二又桿との構造を示した断面図である。
【図１０】上部装入座と他の形態の上二又桿との構造を示した断面図である。
【図１１】この考案における上部装入座と上二又桿の分解図である。
【図１２】この考案における上部装入座と上二又桿との連結Ｌ構造を示した説明図である。
【図１３】この考案の楽器スタンドで立て掛け形式の使用態様を示した説明図である。
【図１４】この考案の楽器スタンドで立て掛け形式の他の使用態様を示した説明図である。
【図１５】この考案の楽器スタンドで掛止形式の使用態様を示した説明図である。
【図１６】従来の楽器スタンドの斜視図である。
【符号の説明】
【００２４】
１          支持脚桿
１１        管体
１２        支持脚座
１３，１４  前脚桿
１５        後脚桿
１６        締結部材
２          上支持桿
２１        位置決め溝
３          下部挿入座
３１        スリーブ
３２        凹溝
４          上部挿入座
４１        スリーブ
４２        挿入桿
４３        大挿入孔
４４        小挿入孔
４５        凹溝
４６        位置決め切り欠き溝
４７        回転空間
５          支持桿
５１        挿入部
５２        当止ブロック
５３        支承桿
５４        パッド
５５        前部支承領域
５６        後部支承領域
６          上二又桿
６１        挿入部
６２        スリーブ
６３        当接桿
６４        凸起部
６５        凸ブロック
６６        凹溝
６７        位置決めブロック
７          支持桿
７１        挿入部
７２        当接パッド
７３        当止ブロック
７４        位置決めブロック
８          上二又桿
８１        挿入部
８２        当止ブロック
８３        掛止桿
８４        凸起部
８５，８６  仕切り環
８７        前部掛止部
８８        後部掛止部
９３        支持脚桿
９４        上部支持桿
９５        下部支持座
９６        支持部位
９７        上部支持部
【図１】
0003106900.tif 000003
【図２】
0003106900.tif 000004
【図３】
0003106900.tif 000005
【図４】
0003106900.tif 000006
【図５】
0003106900.tif 000007
【図６】
0003106900.tif 000008
【図７】
0003106900.tif 000009
【図８】
0003106900.tif 000010
【図９】
0003106900.tif 000011
【図１０】
0003106900.tif 000012
【図１１】
0003106900.tif 000013
【図１２】
0003106900.tif 000014
【図１３】
0003106900.tif 000015
【図１４】
0003106900.tif 000016
【図１５】
0003106900.tif 000017
【図１６】
0003106900.tif 000018